【手続補正書】
【提出日】平成27年5月30日(2015.5.30)
【手続補正１】
【補正対象書類名】明細書
【補正対象項目名】０００６
【補正方法】変更
【補正の内容】
【０００６】
本開示は、著作権侵害により発生した収入の減少の回復を促す新規の方法、システム、およびコンピュータプログラムを提供する。特に、新規の方法、システム、およびコンピュータプログラムは、著作権侵害行為の特定、著作権侵害行為に関する詳細の文書化、著作権侵害の通知をＩＳＰに提供、および特定された著作権侵害行為の結果被った負債を清算および解決する新規なアプローチの提示を促進する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，９７８，７９１号明細書
（特許文献２）  米国特許第６，４１５，２８０号明細書
（特許文献３）  米国特許第６，９０１，４３６号明細書
（特許文献４）  米国特許第６，９２８，４４２号明細書
（特許文献５）  米国特許第７，８０２，３１０号明細書
（特許文献６）  米国特許第７，９４５，５３９号明細書
（特許文献７）  米国特許第７，９４５，５４４号明細書
（特許文献８）  米国特許第７，９４９，６６２号明細書
（特許文献９）  米国特許第８，００１，０９６号明細書
（特許文献１０）  米国特許第８，０９５，５００号明細書
（特許文献１１）  米国特許第８，４５８，１７２号明細書
（特許文献１２）  米国特許出願公開第１３／１０３７９５号明細書
（特許文献１３）  米国特許出願公開第１３／４３７７５６号明細書
（特許文献１４）  米国特許出願公開第１３／５９４５９６号明細書
（特許文献１５）  米国特許出願公開第２００１／００４１９８９号明細書    
（特許文献１６）  米国特許出願公開第２００２／０１２０５８６号明細書
（特許文献１７）  米国特許出願公開第２００５／００５００２８号明細書
（特許文献１８）  米国特許出願公開第２００５／００９１１６７号明細書
（特許文献１９）  米国特許出願公開第２００６／０１６８０１２号明細書
（特許文献２０）  米国特許出願公開第２００７／００３３４０８号明細書
（特許文献２１）  米国特許出願公開第２００７／０２９４５４４号明細書
（特許文献２２）  米国特許出願公開第２００９／００８３１３２号明細書
（特許文献２３）  米国特許出願公開第２００９／０３２８２３６号明細書
（特許文献２４）  米国特許出願公開第２０１０／００３７０５９号明細書
（特許文献２５）  米国特許出願公開第２０１０／００７１０６８号明細書
（特許文献２６）  米国特許出願公開第２０１０／０１６９１９５号明細書
（特許文献２７）  米国特許出願公開第２０１０／０３１３０３１号明細書
（特許文献２８）  米国特許出願公開第２０１１／０２７６４４９号明細書
（特許文献２９）  特開２００２−３６６５３１号公報
（特許文献３０）  韓国特許第１０−２００３−００１５７４２号明細書
（特許文献３１）  韓国特許第１０−２００８−００３９３２４号明細書
（特許文献３２）  韓国特許第１０−２００８−００３９３２４号明細書
（特許文献３３）  国際公開第２００９／１３４９０５号
（特許文献３４）  国際公開第２０１２／１３５８５５号
（非特許文献）
（非特許文献１）  Ｖｉｄｅｏ  Ｐｒｏｔｅｃｔｉｏｎ  Ａｌｌｉａｎｃｅ（ＶＰＡ）ａｔ  ｗｗｗ．ｖｉｄｅｏｐｒｏｔｅｃｔｉｏｎａｌｌｉａｎｃｅ．ｃｏｍ
（非特許文献２）  Ｎｅｘｉｃｏｎ  Ｉｎｃ．"Ａ  Ｄａｙ  ｉｎ  ｔｈｅ  Ｌｉｆｅ"Ｔｈｅ  ＭＡＲＣ  Ａｎｔｉ−Ｐｉｒａｃｙ  Ｐｌａｔｆｏｒｍ"，(c)  ２００９，Ｎｅｘｉｃｏｎ，Ｉｎｃ．
（非特許文献３）  Ｇｏ  Ｄａｄｄｙ  ｄｏｍａｉｎ  ｓｅａｒｃｈ  ｆｏｒ  ＧｅｔＡｍｎｅｓｔｙ．ｃｏｍ，ｈｔｔｐ：／／ｗｈｏ．ｇｏｄａｄｄｙ．ｃｏｍ／ＷｈｏＩｓ．ａｓｐｘ？ｄｏｍａｉｎ＝ｇｅｔａｍｎｅｓｔｙ．ｃｏｍ&ｐｒｏＫ  ｉｄ＝ｇｏｄａｄｄｙ，ｒｅｔｒｉｅｖｅｄ  ９／２／０９
（非特許文献４）  Ｎｅｘｉｃｏｎ，ＧｅｔＡｍｎｅｓｔｙ  ｓｌｉｄｅ  ｐｒｅｓｅｎｔａｔｉｏｎ
（非特許文献５）  Ｔｏｒｒｅｎｔ  Ｆｒｅａｋ，"ＧｅｔＡｍｎｅｓｔｙ．ｃｏｍ：  ＭＰＡＡ  Ｅｘｔｏｒｔｉｏｎ  ａｔ  ｉｔｓ  Ｆｉｎｅｓｔ"，Ａｕｇｕｓｔ  ２７，２００７，ｈｔｔｐ：／／ｔｏｒｒｅｎｔｆｒｅａｋ．ｃｏｍ／ｇｅｔａｍｎｅｓｔｙｃｏｍ−ｍｐａａ−ｅｘｔｏｒｔｉｏｎ−ａｔ−ｉｔｓ−ｆｉｎｅｓｔ／
（非特許文献６）  Ｓｌｙｃｋ  ｆｏｒｕｍｓ"ＧｅｔＡｍｎｅｓｔｙ．ｃｏｍ：  ＭＰＡＡ  Ｅｘｔｏｒｔｉｏｎ  ａｔ  ｉｔｓ  Ｆｉｎｅｓｔ，Ｍａｒｃｈ  １４，２００６，ｗｗｗ．ｓｌｙｃｋ．ｃｏｍ／ｆｏｒｕｍｓ／ｖｉｅｗｔｏｐｉｃ／ｐｈｐ？ｔ＝３７３４８，ｒｅｔｒｉｅｖｅｄ  ２／５／１３
（非特許文献７）  Ｔｏｒｒｅｎｔｅｃｈ"ＧｅｔＡｍｎｅｓｔｙ．ｃｏｍ：  ＭＰＡＡ  Ｅｓｔｏｒｔｉｏｎ  ａｔ  ｉｔｓ  Ｆｉｎｅｓｔ，ｔｏｒｒｅｎｔｅｃｈ．ｏｒｇ／ｌｏｆｉｖｅｒｓｉｏｎ／ｉｎｄｅｘ．ｐｈｐ？ｔ６０１０．ｈｔｍｌ，２９  Ａｕｇ  ２００７
（非特許文献８）  Ｐ２ＰＮＥＴ，"ＭＰＡＡ  'Ｇｅｔａｍｎｅｓｔｙ'  ｓｃａｍ"，ｗｗｗ．ｐ２ｐｎｅｔ．ｎｅｔ／ｓｔｏｒｙ／１３１９２，ｒｅｔｒｉｅｖｅｄ  ８／３１／２００７
（非特許文献９）  Ｂｏｓｔｏｎ．ｃｏｍ，"Ｎｅｘｉｃｏｎ（ＴＭ）  Ｓｕｂｍｉｔｓ  Ｐａｔｅｎｔ  Ａｐｐｌｉｃａｔｉｏｎ  ｆｏｒ  ＧｅｔＡｍｎｅｓｔｙ（ＴＭ），Ｓｅｐｔ．  １７，２００８，ｈｔｔｐ：／／ｆｉｎａｎｃｅ．ｂｏｓｔｏｎ．ｃｏｍ／ｂｏｓｔｏｎｌｎｅｗｓ／ｒｅａｄ／６５９２７９７／ｎｅｘｉｃｏｎ  
（非特許文献１０）  Ｂｏｓｔｏｎ．ｃｏｍ，"Ｎｅｘｉｃｏｎ  Ｒｅａｃｈｅｓ  Ｄｅａｌ  ｗｉｔｈ  Ｍａｊｏｒ  Ｍｏｔｉｏｎ  Ｐｉｃｔｕｒｅ  Ｓｔｕｄｉｏ  ｆｏｒ  ＧｅｔＡｍｎｅｓｔｙ"，Ｍａｙ  ６，２００８，ｈｔｔｐ：／／ｆｉｎａｎｃｅ．ｂｏｓｔｏｎ．ｃｏｍ／ｂｏｓｔｏｎｌｎｅｗｓ／ｒｅａｄ／５３８７８７３／ｎｅｘｉｃｏｎ  ｒｅａｃｈｅｓ  ｄｅａｌ＿ｗｉｔｈ＿ｍａｊｏｒ＿ｍｏｔｉｏｎ＿ｐｉｃｔｕｒｅ＿ｓｔｕｄｉｏ＿ｆｏｒ＿ｇｅｔａｍｎｅｓｔｙ
（非特許文献１１）  Ｂｏｓｔｏｎ．ｃｏｍ，"Ｎｅｘｉｃｏｎ，Ｉｎｃ．  Ｌａｕｎｃｈｅｓ  ＧｅｔＡｍｎｅｓｔｙ．ｃｏｍ  ｆｏｒ  Ｃｏｐｙｒｉｇｈｔ  Ｈｏｌｄｅｒｓ  ｔｏ  Ｒｅｃｏｕｐ  Ｌｏｓｔ  Ｒｅｖｅｎｕｅｓ  Ｄｕｅ  ｔｏ  Ｐｉｒａｃｙ"  ｐｏｓｔｅｄ  ｏｎ  Ａｕｇｕｓｔ  １４，２００７，ｈｔｔｐ：／／ｆｉｎａｎｃｅ．ｂｏｓｔｏｎ．ｃｏｍ／ｂｏｓｔｏｎ／ｎｅｗｓ／ｒｅａｄ／２９００６２５／ｎｅｘｉｃｏｎ
（非特許文献１２）  ＷＮＤ．ｃｏｍ，ＰＲＮｅｗｓｗｉｒｅ−ＦｉｒｓｔＣａｌｌ，"Ｎｅｘｉｃｏｎ，Ｉｎｃ．  Ｌａｕｎｃｈｅｓ  ＧｅｔＡｍｎｅｓｔｙ．ｃｏｍ  ｆｏｒ  Ｃｏｐｙｒｉｇｈｔ  Ｈｏｌｄｅｒｓｔｏ  Ｒｅｃｏｕｐ  Ｌｏｓｔ  Ｒｅｖｅｎｕｅｓ  Ｄｕｅ  ｔｏ  Ｐｉｒａｃｙ"  Ａｌｂｕｑｕｅｒｑｕｅ，Ｎ．Ｍ．，Ａｕｇｕｓｔ  １４，２００７／ＰＲＮｅｗｓｗｉｒｅ−ＦｉｒｓｔＣａｌｌ／−
−Ｎｅｘｉｃｏｎ  Ｉｎｃ．
（非特許文献１３）  ＴＭＣ  Ｎｅｗｓ，"Ｎｅｘｉｃｏｎ  ａｎｄ  ＰａｙＡｒｔｉｓｔｓ  ｔｏ  Ｓｕｐｐｌｙ  Ａｎｔｉ−Ｐｉｒａｃｙ  Ｓｏｌｕｔｉｏｎ  ｔｏ  ｔｈｅ  Ｍｕｓｉｃ  Ｉｎｄｕｓｔｒｙ"，Ｏｃｔｏｂｅｒ  ２０，２００８，ｈｔｔｐ：／／ｗｗｗ．ｔｍｃｎｅｔ．ｃｏｍ／ｕｓｕｂｍｉｔ／２００８／１０／２０／３７１５６２３．ｈｔｍ
（非特許文献１４）  ＰＲ  Ｎｅｗｓｗｉｒｅ"Ｎｅｘｉｃｏｎ  Ｉｓｓｕｅｓ  Ｃｏｒｐｏｒａｔｅ  Ｕｐｄａｔｅ"，Ａｌｂｕｒｑｕｅｒｑｕｅ，Ｎ．Ｃ．，Ａｐｒｉｌ  ２９，／ＰＲＮｅｗｓｗｉｒｅ−ＦｉｒｓｔＣａｌｌ／，ｒｅｔｒｉｅｖｅｄ  ３／２０／１３，ｗｗｗ  ．ｐｒｎｅｗｓｗｉｒｅ．ｃｏｍ／ｎｅｗｓ−ｒｅｌｅａｓｅｓ／ｎｅｘｉｃｏｎ−ｉｓｓｕｅｓ−ｃｏｒｐｏｒａｔｅ−ｕｐｄａｔｅ−
５７５３８９２２．ｈｔｍｌ
（非特許文献１５）  ＰＲ  Ｎｅｗｓｗｉｒｅ"Ｎｅｘｉｃｏｎ  Ｓｉｇｎｓ  Ｍｏｔｉｏｎ  Ｐｉｃｔｕｒｅ  Ｓｔｕｄｉｏ  ｔｏ  ＧｅｔＡｍｎｅｓｔｙ"，Ａｌｂｕｑｕｅｒｑｕｅ，Ｎ．Ｍ．，Ｍａｙ  １／ＰＲＮｅｗｓｗｉｒｅ−ＦｉｒｓｔＣａｌｌ／，ｒｅｔｒｉｅｖｅｄ  ３／２０／１３，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ｉｓｓｕｅｓｃｏｒｐｏｒａｔｅ−ｕｐｄａｔｅ−５７５３８９２２．ｈｔｍｌ
（非特許文献１６）  ＰＲ  Ｎｅｗｓｗｉｒｅ"Ｎｅｘｉｃｏｎ  Ａｄｄｓ  Ｔａｌｅｎｔ  ｔｏ  Ｅｘｅｃｕｔｉｖｅ  Ｔｅａｍ"，Ｍａｌｉｂｕ，Ｃａｌｉｆ．，Ｊｕｎｅ  ３０  ／ＰＲＮｅｗｓｗｉｒｅ−ＦｉｒｓｔＣａｌｌ／，ｒｅｔｒｉｅｖｅｄ  ３／２０／１３，ｈｔｔｐ：／／ｗｗｗ  ．ｐｒｎｅｗｓｗｉｒｅ．ｃｏｍ／ｎｅｗｓ−ｒｅｌｅａｓｅｓ／ｎｅｘｉｃｏｎ−ａｄｄｓ−ｔａｌｅｎｔ−ｔｏ−ｅｘｅｃｕｔｉｖｅ−ｔｅａｍ−５７５５９８０７  ．ｈｔｍｌ
（非特許文献１７）  ＰＲ  Ｎｅｗｓｗｉｒｅ"Ｃｏｍｐａｎｙ  Ａｎｎｏｕｎｃｅｓ  'Ｎｅｘｔ'  Ｎｅｘｉｃｏｎ'ｓ  Ｃｏｒｐｏｒａｔｅ  Ｂｌｏｇ"，Ｍａｌｉｂｕ，Ｃａｌｉｆ．，Ｎｏｖ．  ６／ＰＲＮｅｗｓｗｉｒｅ−ＦｉｒｓｔＣａｌｌ／，ｒｅｔｒｉｅｖｅｄ  ３／２０／１３，ｈｔｔｐ：／／ｗｗｗ．ｐｒｎｅｗｓｗｉｒｅ．ｃｏｍ／ｎｅｗｓ−ｒｅｌｅａｓｅｓ／ｃｏｍｐａｎｙａｎｎｏｕｎｃｅｓ−ｎｅｘｔ−ｎｅｘｉｃｏｎｓ−ｃｏｒｐｏｒａｔｅ−ｂｌｏｇ−６５３０８３３２．ｈｔｍｌ
（非特許文献１８）  ＰＲ  Ｎｅｗｓｗｉｒｅ"Ｎｅｘｉｃｏｎ（ＴＭ）  Ａｎｎｏｕｎｃｅｓ  Ｌａｕｎｃｈ  ｏｆ  Ｅｎｖｏｙ（ＴＭ），ａ  Ｎｅｗ  Ｓｏｌｕｔｉｏｎ  ｔｏ  Ｅｎａｂｌｅ  ＩＳＰｓ  ｔｏ  Ａｕｔｏｍａｔｉｃａｌｌｙ  Ｐｒｏｃｅｓｓ  Ｅｌｅｃｔｒｏｎｉｃ  ＤＭＣＡ  Ｎｏｔｉｃｅｓ，Ｍａｌｉｂｕ，Ｃａｌｉｆ．，Ｎｏｖ．  １０  ／ＰＲＮｅｗｓｗｉｒｅ−ＦｉｒｓｔＣａｌｌ／，ｒｅｔｒｉｅｖｅｄ  ３／２０／１３，ｈｔｔｐ：／／ｗｗｗ．  ｐｒｎｅｗｓｗｉｒｅ．ｃｏｍ／ｎｅｗｓ−ｒｅｌｅａｓｅｓ／ｎｅｘｉｃｏｎｔｍ−ａｎｎｏｕｎｃｅｓ−ｌａｕｎｃｈ−ｏｆ−ｅｎｖｏｙｔｍ−ａ−ｎｅｗ−ｓｏｌｕｔｉｏｎ−ｔｏ−ｅｎａｂｌｅ−ｉｓｐｓ−ｔｏ−ａｕｔｏｍａｔｉｃａｌｌｙ−ｐｒｏｃｅｓｓ−ｅｌｅｃｔｒｏｎｉｃ−ｄｍｃａ−ｎｏｔｉｃｅｓ  ．．．
（非特許文献１９）  ＰＲ  Ｎｅｗｓｗｉｒｅ"Ｎｅｘｉｃｏｎ  Ｐａｒｔｎｅｒｓ  Ｗｉｔｈ  Ｕｎｉｖｅｒ−＄ａｌｅ  ｔｏ  Ｆｉｇｈｔ  Ｃｙｂｅｒｃｒｉｍｅ  &  Ｄｉｇｉｔａｌ  Ｐｉｒａｃｙ"，Ｌｏｓ  Ａｎｇｅｌｅｓ，Ｍａｙ  ２８  ／ＰＲＮｅｗｓｗｉｒｅ−ＦｉｒｓｔＣａｌｌ／−−Ｎｅｘｉｃｏｎ，ｒｅｔｒｉｅｖｅｄ  ３１２０／１３，ｈｔｔｐ：／／ｗｗｗ．ｐｒｎｅｗｓｗｉｒｅ．ｃｏｍ／ｎｅｗｓｒｅｌｅａｓｅｓ／ｎｅｘｉｃｏｎ−ｐａｒｔｎｅｒｓ−ｗｉｔｈ−ｕｎｉｖｅｒ−ａｌｅ−ｔｏ−ｆｉｇｈｔ−ｃｙｂｅｒｃｒｉｍｅ−−ｄｉｇｉｔａｌ−ｐｉｒａｃｙ−６２００３２５７．ｈｔｍｌ
（非特許文献２０）  ＰＲ  Ｎｅｗｓｗｉｒｅ"Ｌａｔｉｎ  Ａｍｅｒｉｃａ'ｓ  Ｂｉｇｇｅｓｔ  Ｍｕｓｉｃ  ｒｅａｌｔｙ  Ｓｅｒｉｅｓ  Ｐｒｅｍｉｅｒｓ  Ｓｕｎｄａｙ  −  Ｈｉｇｈｌｉｇｈｔｉｎｇ  Ｎｅｘｉｃｏｎ'ｓ  Ｖｏｔｅ  Ｔｒａｃｋｉｎｇ  &  Ｂｕｓｉｎｅｓｓ  Ａｎａｌｙｓｉｃｓ  Ｔｅｃｈｎｏｌｏｇｙ"，Ｌｏｓ  Ａｎｇｅｌｅｓ  ａｎｄ  Ｍｉａｍｉ，Ｊｕｎｅ  ２６  ／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｌａｔｉｎ−ａｍｅｒｉｃａｓ−ｂｉｇｇｅｓｔ−ｍｕｓｉｃ−ｒｅａｌｉｔｙ−ｓｅｒｉｅｓ−ｐｒｅｍｉｅｒｅｓ−Ｓｕｎｄａｙ−−−ｈｉｇｈｌｉｇｈｔｉｎｇ−ｎｅｘｉｃｏｎｓ−ｖｏｔｅ−ｔｒａｃｋｉｎｇ−−ｂｕｓｉｎｅｓｓ−ａｎａｌｙｔｉｃｓ−ｔｅｃ  ．．．
（非特許文献２１）  ＰＲ  Ｎｅｗｓｗｉｒｅ"Ｎｅｘｉｃｏｎ  Ｊｕｎｅ  ２００９  Ｌｅｔｔｅｒ  ｔｏ  Ｓｈａｒｅｈｏｌｄｅｒｓ"，Ｌｏｓ  Ａｎｇｅｌｅｓ，Ｊｕｎｅ  ３０ｌＰＲＮｅｗｓｗｉｒｅ−ＦｉｒｓｔＣａｌｌｌ，ｈｔｔｐ：／／ｗｗｗ．  ｐｒｎｅｗｓｗｉｒｅ．ｃｏｍ／ｎｅｗｓ−ｒｅｌｅａｓｅｓ／ｎｅｘｉｃｏｎ−ｊｕｎｅ−２００９−ｌｅｔｔｅｒ−ｔｏ−ｓｈａｒｅｈｏｌｄｅｒｓ−６１９２７６２２．ｈｔｍｌ
（非特許文献２２）  ＰＲ  Ｎｅｗｓｗｉｒｅ"Ｎｅｘｉｃｏｎ  Ｒｅｔａｉｎｓ  Ｉｎｄｅｐｅｎｄｅｎｔ  Ａｕｄｉｔｏｒ"，Ｌｏｓ  Ａｎｇｅｌｅｓ，Ｊｕｌｙ  １  ／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ｒｅｔａｉｎｓ−ｉｎｄｅｐｅｎｄｅｎｔ−ａｕｄｉｔｏｒ−６２０９０１０２．ｈｔｍｌ
（非特許文献２３）  ＰＲ  Ｎｅｗｓｗｉｒｅ  "Ｎｅｘｉｃｏｎ  Ｔｅｃｈｎｏｌｏｇｙ  ｔｏ  Ｐｒｏｔｅｃｔ  Ｈｅａｌｔｈｃａｒｅ  Ｉｎｄｕｓｔｒｙ"，Ｌｏｓ  Ａｎｇｅｌｅｓ，Ｊｕｌｙ  ２８／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ｔｅｃｈｎｏｌｏｇｙ−ｔｏ−ｐｒｏｔｅｃｔｈｅａｌｔｈｃａｒｅ−ｉｎｄｕｓｔｒｙ−６２２４８７７２．ｈｔｍｌ
（非特許文献２４）  ＰＲＮｅｗｓｗｉｒｅ"Ｎｅｘｉｃｏｎ  Ｐａｒｔｎｅｒｓ  Ｗｉｔｈ  ＩｎｔｅｎｔｉｏｎＱｕｅｓｔ  ｔｏ  Ｐｒｏｔｅｃｔ  Ｉｎｔｅｌｌｅｃｔｕａｌ  Ｐｒｏｐｅｒｔｙ  Ｒｉｇｈｔｓ  ｏｆ  Ｓｅｌｆ  Ｈｅｌｐ  Ｉｎｄｕｓｔｒｙ"，Ｌｏｓ  Ａｎｇｅｌｅｓ，Ａｕｇ．  ４／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓｒｅｌｅａｓｅｓ／ｎｅｘｉｃｏｎ−ｐａｒｔｎｅｒｓ−ｗｉｔｈ−ｉｎｔｅｎｔｉｏｎｇｕｅｓｔ−ｔｏ−ｐｒｏｔｅｃｔ−ｉｎｔｅｌｌｅｃｔｕａｌ−ｐｒｏｐｅｒｔｙ−ｒｉｇｈｔｓ−ｏｆ−ｓｅｌｆ−ｈｅｌｐ−ｉｎｄｕｓｔｒｙ−６２１３７３７７．ｈｔｍｌ
（非特許文献２５）  ＰＲＮｅｗｓｗｉｒｅ"Ｎｅｘｉｃｏｎ  Ｓｉｇｎｓ  Ｄｅａｌ  ｔｏ  Ｄｅｌｉｖｅｒ  Ｌａｗ  Ｅｎｆｏｒｃｅｍｅｎｔ  Ｓｏｌｕｔｉｏｎｓ  ｔｏ  ｔｈｅ  Ｕ．Ｓ．  Ｇｏｖｅｒｎｍｅｎｔ"，Ｌｏｓ  Ａｎｇｅｌｅｓ，Ａｕｇ．  ２５／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ｓｉｇｎｓ−ｄｅａｌ−ｔｏ−ｄｅｌｉｖｅｒ−ｌａｗ−ｅｎｆｏｒｃｅｍｅｎｔ−ｓｏｌｕｔｉｏｎｓ−ｔｏ−ｔｈｅ−ｕｓ−ｇｏｖｅｒｎｍｅｎｔ−６２０３４２６７．ｈｔｍｌ
（非特許文献２６）  ＰＲＮｅｗｓｗｉｒｅ"Ｎｅｘｉｃｏｎ  Ｔｏ  Ｂｅ  Ｆｅａｔｕｒｅｄ  Ａｔ  ３ｒｄ  Ｉｎｔｅｒｎａｔｉｏｎａｌ  Ｃｙｂｅｒ  Ｉｎｖｅｓｔｉｇａｔｉｏｎ  Ｃｏｖｅｎｔｉｏｎ"，Ｎｅｕｃｈａｔｅｌ，Ｓｗｉｔｚｅｒｌａｎｄ  ａｎｄ  Ｌｏｓ  Ａｎｇｅｌｅｓ，Ａｕｇ．  ３１  ／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓｒｅｌｅａｓｅｓ／ｎｅｘｉｃｏｎ−ｔｏ−ｂｅ−ｆｅａｔｕｒｅｄ−ａｔ−３ｒｄ−ｉｎｔｅｒｎａｔｉｏｎａｌ−ｃｙｂｅｒ−ｉｎｖｅｓｔｉｇａｔｉｏｎ−ｃｏｎｖｅｎｔｉｏｎ−６２１０３０４７．ｈｔｍｌ
（非特許文献２７）  ＰＲＮｅｗｓｗｉｒｅ"Ｎｅｘｉｃｏｎ  Ａｐｐｏｉｎｔｓ  Ｓａｍ  Ｇｌｉｎｅｓ  ａｓ  Ｃｈｉｅｆ  Ｅｘｅｃｕｔｉｖｅ  Ｏｆｆｉｃｅｒ"，Ｌｏｓ  Ａｎｇｅｌｅｓ，Ｓｅｐｔ．２２／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ａｇｇｏｉｎｔｓ−ｓａｍ−ｇｌｉｎｅｓ−ａｓ−ｃｈｉｅｆ−ｅｘｅｃｕｔｉｖｅ−ｏｆｆｉｃｅｒ−６０２４６３８２．ｈｔｍｌ
（非特許文献２８）  ＰＲＮｅｗｓｗｉｒｅ"Ｎｅｘｉｃｏｎ  Ａｎｎｏｕｎｃｅｓ  Ｉｎｔｅｎｔｉｏｎ  ｔｏ  Ｓｅｅｋ  ＯＴＣ  Ｂｕｌｌｅｔｉｎ  Ｂｏａｒｄ  Ｌｉｓｔｉｎｇ"，Ｌｏｓ  Ａｎｇｅｌｅｓ，Ｏｃｔ．  １  ／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ａｎｎｏｕｎｃｅｓ−ｉｎｔｅｎｔｉｏｎ−ｔｏ−ｓｅｅｋ−ｏｔｃ−ｂｕｌｌｅｔｉｎ−ｂｏａｒｄ−ｌｉｓｔｉｎｇ−６３０８６８７２．ｈｔｍｌ
（非特許文献２９）  ＰＲＮｅｗｓｗｉｒｅ"Ｎｅｘｉｃｏｎ  Ｌｅｔｔｅｒ  ｔｏ  Ｓｈａｒｅｈｏｌｄｅｒｓ  Ｑ３  ２００９"，Ｌｏｓ  Ａｎｇｅｌｅｓ，Ｏｃｔ．  ２２，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎ−ｌｅｔｔｅｒ−ｔｏ−ｓｈａｒｅｈｏｌｄｅｒｓ−ｑ３−２００９−６５５２１３１２．ｈｔｍｌ
（非特許文献３０）  Ａｒｓ  Ｔｅｃｈｎｉｃａ  "Ｃｏｍｐａｎｙ  ｔｏ  ｈｅｌｐ  ｃｏｎｔｅｎｔ  ｏｗｎｅｒｓ  "ｍｏｎｅｔｉｚｅ"  ｉｌｌｅｇａｌ  ｃｏｎｔｅｎｔ"，ｂｙ  Ｊａｃｑｕｉ  Ｃｈｅｎｇ，Ｓｅｐｔ  １７，２００８，ｈｔｔｐ：／／ａｒｓｔｅｃｈｎｉｃａ．ｃｏｍ／ｔｅｃｈ−ｐｏｌｉｃｙ／２００８／０９／ｃｏｍｐａｎｙ−ｔｏ−ｈｅｌｐ−ｃｏｎｔｅｎｔ−ｏｗｎｅｒｓ−ｍｏｎｅｔｉｚｅ−ｉｌｌｅｇａｌ−ｃｏｎｔｅｎｔ／
（非特許文献３１）  Ｐ２Ｐ  ＯＮ！"Ｎｅｘｉｃｏｎ  ｔｏ  Ｌａｕｎｃｈ  Ｓｙｓｔｅｍ  Ｔｈａｔ  Ｃｏｌｌｅｃｔｓ  Ｒｅｖｅｎｕｅ  ｆｒｏｍ  Ｉｌｌｅｇａｌ  Ｆｉｌｅ  Ｓｈａｒｉｎｇ"，Ｓｅｐｔｅｍｂｅｒ  １７，２００８，ｂｙ  Ｙｏｎａｈ，ｗｗｗ．ｐ２ｐ．ｃｏｍ／２００８／０９／１７／ｎｅｘｉｃｏｎ−ｔｏ−ｌａｕｎｃｈ−ｓｙｓｔｅｍ−ｔｈａｔ−ｃｏｌｌｅｃｔｓ−ｒｅｖｅｎｕｅ−ｆｒｏｍ−ｉｌｌｅｇａｌ−ｆｉｌｅ−ｓｈａｒｉｎｇ／
（非特許文献３２）  ｔｅｃｈｄｉｒｔ，"Ｃｏｍｐａｎｙ  Ｗａｎｔｓ  Ｔｏ  Ｐａｔｅｎｔ  Ａｕｔｏｍａｔｅｄ  Ｐａｙ−Ｕｐ−Ｏｒ−Ｗｅ−Ｓｕｅ  Ｐｒｅ−Ｓｅｔｔｌｅｍｅｎｔ  Ｌｅｔｔｅｒｓ  Ｆｏｒ  Ｆｉｌｅ  Ｓｈａｒｉｎｇ"，ｂｙ  Ｍｉｋｅ  Ｍａｓｎｉｃｋ，Ｓｅｐ．  １７，２００８，ｗｗｗ．ｔｅｃｈｄｉｒｔ．ｃｏｍ／ａｒｔｉｃｌｅｓ／２００８０９１６／１８２７２５２２８５．ｓｈｔｍｌ
（非特許文献３３）  ＣＯＰＹＲＩＧＨＴ  ＬＡＷ  ａｎｄ  ＣＯＰＹＲＩＧＨＴ  ＩＮＦＯＲＭＡＴＩＯＮ，"ＧｅｔＡｍｎｅｓｔｙ．ｃｏｍ  Ｈｅｌｐｓ  Ｃｏｐｙｒｉｇｈｔ  Ｈｏｌｄｅｒｓｔｏ  Ｒｅｃｏｕｐ  Ｌｏｓｔ  Ｒｅｖｅｎｕｅｓ  Ｄｕｅ  ｔｏ  Ｐｉｒａｃｙ"，Ａｕｇｕｓｔ  ２６，２００７，ｐｏｓｔｅｄ  ｂｙ  Ｂｒｉａｎ  Ｓｃｏｔｔ，ｒｅｓｅａｒｃｈｃｏｐｙｒｉｇｈｔ．ｂｌｏｇｓｐｏｔ．ｃｏｍ／２００７１０８／ｇｅｔａｍｎｅｓｔｙｃｏｍ−ｈｅｌｐｓ−ｃｏｐｙｒｉｇｈｔ−ｈｏｌｄｅｒｓ．ｈｔｍｌ
（非特許文献３４）  Ｂｒｏａｄｂａｎｄ  ＤＳＬＲｅｐｏｒｔｓ．ｃｏｍ，"Ｐｉｒａｃｙ  Ｓｅｔｔｌｅｍｅｎｔ−Ｏ−Ｍａｔｉｃ  Ｆｏｒｍｅｒ  ｏｎｌｉｎｅ  ｃｉｇａｒｅｔｔｅｓ  ｓａｌｅｓｍｅｎ  ｎｏｗ  ｅｎｆｏｒｃｅ  ｃｏｐｙｒｉｇｈｔ  ．．．"  ｂｙ  Ｋａｒｌ  Ｂｏｄｅ，Ｓｅｐ．  １６，２００８，ｗｗｗ．ｄｓｌｒｅｐｏｒｔｓ．ｃｏｍ／ｓｈｏｗｎｅｗｓ／Ｐｉｒａｃｙ−ＳｅｔｔｌｅｍｅｎｔＯＭａｔｉｃ−９７７７４
（非特許文献３５）  ＮｏｗＰｕｂｌｉｃ，"Ｄｏｕｇｌｅ  Ａｇｅｎｃｙ：  "Ｍｏｎｅｔｉｚｉｎｇ"  Ｉｌｌｅｇａｌ  Ｃｏｎｔｅｎｔ"，ｂｙ  Ｊｏｒｄａｎ  Ｙｅｒｍａｎ，Ｓｅｐｔｅｍｂｅｒ  １９，２００８，ｗｗｗ．ｎｏｗｐｕｂｌｉｃ．ｃｏｍ／ｔｅｃｈ−ｂｉｚ／ｄｏｕｂｌｅ−ａｇｅｎｃｙ−ｍｏｎｅｔｉｚｉｎｇ−ｉｌｌｅｇａｌ−ｃｏｎｔｅｎｔ
（非特許文献３６）  ＰＲ  Ｎｅｗｓｗｉｒｅ"Ｎｅｘｉｃｏｎ（ＴＭ）  Ｓｕｂｍｉｔｓ  Ｐａｔｅｎｔ  Ａｐｐｌｉｃａｔｉｏｎ  ｆｏｒ  ＧｅｔＡｍｎｅｓｔｙ（ＴＭ），Ｍａｌｉｂｕ，Ｃａｌｉｆ．  Ｓｅｐｔ．  １７，／ＰＲＮｅｗｓｗｉｒｅ−ＦｉｒｓｔＣａｌｌ／，ｈｔｔｐ：／／ｗｗｗ．ｐｒｎｅｗｓｗｉｒｅ．ｃｏｍ／ｎｅｗｓ−ｒｅｌｅａｓｅｓ／ｎｅｘｉｃｏｎｔｍ−ｓｕｂｍｉｔｓ−ｐａｔｅｎｔ−ａｐｐｌｉｃａｔｉｏｎ−ｆｏｒ−ｇｅｔａｍｎｅｓｔｙｔｍ−６５１２２２３２．ｈｔｍｌ
（非特許文献３７）  Ｓｅｃｒｅｔａｒｙ  ｏｆ  Ｓｔａｔｅ，Ｎｅｖａｄａ，"Ｎｅｘｉｃｏｎ，Ｉｎｃ．"  ｅｎｔｉｔｙ  ｓｅａｒｃｈ，ｈｔｔｐ：／／ｗｗｗ．ｎｖｓｏｓ．ｇｏｖ／ｓｏｓｅｎｔｉｔｙｓｅａｒｃｈ／ＣｏｒｐＤｅｔａｉｌｓ．ａｓｐｘ？ｌｘ８ｎｖｑ＝ｖＣｂｌｖｅｉＬｖｒｊｂＣｚ６ＱＺｂｌ％２５２ｆｗ％２５３ｄ％２５３ｄ&ｎｔ７＝０
（非特許文献３８）  Ｓｃｒｅｅｎｓｈｏｔｓ．ｃｏｍ，ｓｃｒｅｅｎｓｈｏｔ  ｏｆ  ＮｅｘＩｃｏｎＩｎｃ．ｃｏｍ，ｒｅｔｒｉｅｖｅｄ  ３／２０／１３，ｈｔｔｐ：／／ｗｗｗ．ｓｃｒｅｅｎｓｈｏｔｓ．ｃｏｍ／ｎｅｘｉｃｏｎｉｎｃ．ｃｏｍ／
（非特許文献３９）  Ｓｃｒｅｅｎｓｈｏｔｓ．ｃｏｍ，ｓｃｒｅｅｎｓｈｏｔ  ｏｆ  ＧｅｔＡｍｎｅｓｔｙ  ．ｃｏｍ，ｒｅｔｒｉｅｖｅｄ  ３／２０／１３，ｈｔｔｐ：／／ｗｗｗ．ｓｃｒｅｅｎｓｈｏｔｓ．ｃｏｍ／ｇｅｔａｍｎｅｓｔｙ．ｃｏｍ／
（非特許文献４０）  ＧｅｔＡｍｎｅｓｔｙ  ｉｍａｇｅ  ｓｕｐｐｌｉｅｄ  ｂｙ  ＤｏｍａｉｎＴｏｏｌｓ．ｃｏｍ，ｒｅｔｒｉｅｖｅｄ  ３／２０／１３
（非特許文献４１）  ＣＮＥＴ  Ｎｅｗｓ"Ｈｏｗ  ｏｎｅ  ＩＳＰ  ｄｅａｌｓ  ｗｉｔｈ  ｃｏｐｙｒｉｇｈｔ  ｅｎｆｏｒｃｅｍｅｎｔ"  "Ｇｅｔ  ａ  ｌｏｏｋ  ａｔ  ｃｏｒｒｅｓｐｏｎｄｅｎｃｅ  ｂｅｔｗｅｅｎ  ｔｈｅ  ｏｗｎｅｒ  ｏｆ  ａ  Ｌｏｕｉｓｉａｎａ  ＩＳＰ  ａｎｄ  ｒｅｐｒｅｓｅｎｔａｔｉｖｅｓ  ｏｆ  ｃｏｐｙｒｉｇｈｔ  ｏｗｎｅｒｓ．  Ｔｈｅ  ＩＳＰ  ｏｗｎｅｒ  ｇｅｔｓ  ｓｅｖｅｒａｌ  ｏｆ  ｎｏｔｉｃｅｓ  ｌｉｋｅ  ｔｈｉｓ  ａ  ｍｏｎｔｈ"，ｂｙ  Ｇｒｅｇ  Ｓａｎｄｏｖａｌ，Ｄｅｃｅｍｂｅｒ  ２２，２００８，ｈｔｔｐ：／／ｎｅｗｓ．ｃｎｅｔ．ｃｏｍ／８３０１−１０２３＿３−１０１２７８７３−９３．ｈｔｍｌ
（非特許文献４２）  Ｆｏｒｕｍｓ  ｂｙ  ａｆｔｅｒｄａｗｎ  "Ｉ  ｇｏｔ  ｂｉｔ！  Ｇｏｔ  ａ  ｅｍａｉｌ  ｆｒｏｍ  ＩＳＰ  ａｂｏｕｔ  ａ  ｔｏｒｒｅｎｔ！，ｂｙ  "ｓｍｉｆｆｆｆ"，Ｊｕｎｅ  ２３，２００６，ｗｗｗ．ｆｏｒｕｍｓ．ａｆｔｅｒｄａｗｎ．ｃｏｍ／ｔｈｒｅａｔ＿ｖｉｅｗ．ｃｆｍ／３５７３７６
（非特許文献４３）  Ｉ−Ｂｌｏｃｋｌｉｓｔ  "Ｇｏｔ  Ｂｕｓｔｅｄ"  ｂｙ  Ｃｈａｒｔｅｒ  Ｃｏｍｍｕｎｉｃａｔｉｏｎｓ  Ｓｅｃｕｒｉｔｙ  Ｒｅｓｏｌｕｔｉｏｎ  Ｔｅａｍ，ｒｅｔｒｉｅｖｅｄ  ６／１３／１３，ｗｗｗ．ｉｂｌｏｃｋｌｉｓｔ．ｃｏｍ／ｆｏｒｕｍ．ｐｈｐ？ｐｉｄ＝９９
（非特許文献４４）  Ｄｒｅａｍｃａｓｔ  Ｅｍｕｌａｔｉｏｎ"Ｇｏｔ  ｍｙ  ｆｉｒｓｔ  ＤＭＣＡ  ｌｅｔｔｅｒ"ｆｒｏｍ  Ｒｏｏｆｕｓ，Ａｕｇｕｓｔ  １９，２００７，ｗｗｗ．ｄｃｅｍｕｌａｔｉｏｎ．ｏｒｇ／ｐｈｐＢＢ／ｖｉｅｗｔｏｐｉｃ．ｐｈｐ？ｆ＝３５&ｔ＝９４２００
（非特許文献４５）  Ｆａｉｌｅｄ  ｅｘｅ  "ＴｈｅＰｉｒａｔｅＢａｙ．ｏｒｇ  ａｎｄ  Ｉｎｃｒｅａｓｅ  ｉｎ  ＩＰ  Ｔｒａｃｋｉｎｇ"  ｂｙ  Ｄａｖｉｄ  Ｌｅａｃｈ，Ｎｏｖｅｍｂｅｒ  ２０，２００９，ｗｗｗ．ｆａｉｌｅｄｅｘｅ．ｃｏｍ／２００９／１１／２０／ｔｈｅｏｉｒａｔｅｂａｙ−ｏｒｇ−ａｎｄ−ｉｎｃｒｅａｓｅ−ｉｎ−ｉｐ−ｔｒａｃｋｉｎｇ／
（非特許文献４６）  μ  Ｔｏｒｒｅｎｔ  Ｃｏｍｍｕｎｉｔｙ  Ｆｏｒｕｍｓ  ｆｏｒｕｍ  ｆｒｏｍ  ａｂｕｓｅ＠ｃｈａｒｔｅｒ．ｎｅｔ，ｔｏ  ｂｉｇｍａｎｔｒｅｂｌｅ＠ｙａｈｏｏ．ｃｏｍ，Ｓｅｐｔｅｍｂｅｒ  ２７，２００８，ｗｗｗ．ｆｏｒｕｍ．ｕｔｏｒｒｅｎｔ．ｃｏｍ／ｖｉｅｗｔｏｐｉｃ／ｐｈｐ？ｉｄ＝４６８９２
（非特許文献４７）  Ｅｍａｉｌ  ｆｒｏｍ  Ｊｏｓｅｐｈ  Ｓｉｋｅｓ  ａｔ  Ｃｏｘ  Ｃｏｍｍｕｎｉｃａｔｉｏｎｓ  ｔｏ  ｃｏｐｙｒｉｇｈｔ＠ｖｉｄｅｏｐｒｏｔｅｃｔｉｏｎａｌｌｉａｎｃｅ．ｃｏｍ，Ａｐｒｉｌ  ６，２００９，ｗｉｔｈ  ＳＡＭＰＬＥ  ＮＯＴＩＣＥ
（非特許文献４８）  Ｅｍａｉｌ  ｆｒｏｍ  Ｍａｒｇａｒｅｔ  Ｌａｎｄｓｐａｒｇｅｒ  ｔｏ  ｉｎｆｏ＠ｖｉｄｅｏｐｒｏｔｅｃｔｉｏｎａｌｌｉａｎｃｅ．ｃｏｍ，ｒｅ：  Ｎｏｔｉｃｅ  ｏｆ  Ｃｌａｉｍｅｄ  Ｉｎｆｒｉｎｇｅｍｅｎｔ  −  ＃ＡＢ−２６８９，Ａｐｒｉｌ  １４，２００９
（非特許文献４９）  Ｅｍａｉｌ  ｆｒｏｍ（ｂｌａｎｋｅｄ  ｏｕｔ）＠ｍｓｎ．ｃｏｍ  ｔｏ  ｉｎｆｏ＠ｖｉｄｅｏｐｒｏｔｅｃｔｉｏｎａｌｌｉａｎｃｅ．ｃｏｍ，ｒｅ：  ［ＡＢ−Ｍ９６７２２９３Ｅ］  Ｎｏｔｉｆｉｃａｔｉｏｎ  ｏｆ  Ａｃｃｅｐｔａｂｌｅ  Ｕｓｅ  Ｐｏｌｉｃｙ，Ｊｕｌｙ  １４，２００９  ｆｏｒｗａｒｄｉｎｇ  ｅｍａｉｌ  ｆｒｏｍ  ａｂｕｓｅｎｏｎｖｅｒｂｏｓｅ＠ｑｗｅｓｔ．ｎｅｔ  ｔｏ（ｂｌａｎｋｅｄ  ｏｕｔ）＠ｍｓｎ．ｃｏｍ，Ｓｕｂｊｅｃｔ：  ［ＡＢ−Ｍ９６７２２９３Ｅ］  Ｎｏｔｉｆｉｃａｔｉｏｎ  ｏｆ  Ａｃｃｅｐｔａｂｌｅ  Ｕｓｅ  Ｐｏｌｉｃｙ  Ｖｉｏｌａｔｉｏｎ  ｏｆ  Ｍｕｌｔｉｐｌｅ  ＤＭＣＡ  Ｉｎｆｒｉｎｇｅｍｅｎｔｓ
（非特許文献５０）  Ａｒｓ  Ｔｅｃｈｎｉｃａ  ａｒｔｉｃｌｅ  "Ｔｉｍｅ  Ｗａｒｎｅｒ  Ｃａｂｌｅ  ｔｒｉｅｓ  ｔｏ  ｐｕｔ  ｂｒａｋｅｓ  ｏｎ  ｍａｓｓｉｖｅ  ｐｉｒａｃｙ  ｃａｓｅ"  ｂｙ  Ｎａｔｅ  Ａｎｄｅｒｓｏｎ  ｄａｔｅｄ  Ｍａｙ  １５，２０１０，ｈｔｔｐ：／／ａｒｓｔｅｃｈｎｉｃａ．ｃｏｍ／ｔｅｃｈ＝ｐｏｌｉｃｙ／２０１０／０５／ｔｉｍｅ−ｗａｒｎｅｒ−ｃａｂｌｅ−ｔｒｉｅｓ−ｔｏ−ｐｕｔ−ｂｒａｋｅｓ−ｏｎ−ｍａｓｓｉｖｅ−ｐｉｒａｃｙ−ｃａｓｅ／
（非特許文献５１）  ＢｉｔＴｏｒｒｅｎｔ  "ＤＨＴ  Ｐｒｏｔｏｃｏｌ，"  ｂｙ  Ａｎｄｒｅｗ  Ｌｏｅｗｅｎｓｔｅｒｎ  ｃｒｅａｔｅｄ  Ｊａｎｕａｒｙ  ３１，２００８  ｆｏｕｎｄ  ａｔ  ｗｗｗ．ｂｉｔｔｏｒｒｅｎｔ．ｏｒｇ／ｂｅｐｓ／ｂｅｐ＿０００５．ｈｔｍｌ
（非特許文献５２）  ＣＮＥＴ  ａｒｔｉｃｌｅ  "Ｈｏｌｌｙｗｏｏｄ'ｓ  Ｎｅｗ  Ｌｅｓｓｏｎ  ｆｏｒ  Ｃａｍｐｕｓ  Ｆｉｌｅ  Ｓｗａｐｐｅｒｓ，"  ｂｙ  Ｓｔｅｐｈａｎｉｅ  Ｏｌｓｅｎ，ｄａｔｅｄ  Ａｐｒｉｌ  １９，２００４
（非特許文献５３）  Ｍａｒｋｈａｍ−Ｂｅｌｌ  ｐｕｂｌｉｃａｔｉｏｎ，１２／１２／０５，ｈｔｔｐ：／／ｗｅｂ．ａｒｃｈｉｖｅ．ｏｒｇ／ｗｅｂ／２００８１２０１１５４８５４／ｈｔｔｐ：／／ｍｐｔｏ．ｕｎｉｓｔｕｄｉｏｓ．ｃｏｍ／ｘｍｌ／
（非特許文献５４）  Ａｔｔｒｉｂｕｔｏｒ  Ｐｒｏｇｒａｍ  ｔｈｅ  Ｗｅｂ，"Ｐｒｏｔｅｃｔ  ｙｏｕｒ  Ｒｅｖｅｎｕｅ  ｂｙ  Ｅｌｉｍｉｎａｔｉｎｇ  Ｕｎａｕｔｈｏｒｉｚｅｄ  Ｃｏｎｔｅｎｔ  Ｕｓｅ"，ｈｔｔｐ：／／ｗｅｂ／ａｒｃｈｉｖｅ／ｏｒｇ／ｗｅｂ／２０１００２０４０４００５０／ｈｔｔｐ：／／ｗｗｗ．ａｔｔｒｉｂｕｔｏｒ．ｃｏｍ／
（非特許文献５５）  Ｃｈｉｌｌｉｎｇ  Ｅｆｆｅｃｔｓ  "ＢａｙＴＷＰ，Ｉｎｃ．，Ｃｏｘ  Ｆｏｒｗａｒｄｓ  ＢａｙＴＳＰ  Ｐ２Ｐ  Ｎｏｔｉｃｅ  ａｎｄ  Ｔａｋｅｄｏｗｎ（Ｐａｒａｍｏｕｎｔ／ＢａｙＴＳＰ  ＃３）"  ｂｙ  Ｃｏｘ  Ｃｏｍｍｕｎｉｃａｔｉｏｎｓ，ｈｔｔｐ：／／ｗｅｂ．ａｒｃｈｉｖｅ．ｏｒｇ／ｗｅｂ／２００７０７０１１５１０００／ｈｔｔｐ：／／ｃｈｉｌｌｉｎｇｅｆｆｅｃｔｓ．ｏｒｇ／ｄｍｃａ５１２／ｎｏｔｉｃｅ．ｃｇｉ？ＮｏｔｉｃｅＩＤ  ＝  １３４９
（非特許文献５６）  ＢＯＣ  ＢＵＳＩＮＥＳＳＯＦＣＩＮＥＭＡ  ａｒｔｉｃｌｅ  "Ｖｉｄｅｏ  Ｐｒｏｔｅｃｔｉｏｎ  Ａｌｌｉａｎｃｅ  Ｌａｕｎｃｈｅｓ  ａｎｔｉ−ｐｉｒａｃｙ  ｓｅｔｔｌｅｍｅｎｔ  ｐｒｏｇｒａｍ"  ｄａｔｅｄ  Ｍａｙ  １５，２００９，ｈｔｔｐ：／／ｄｅｖｅｌｏｐｍｅｎｔ．ｂｕｓｉｎｅｓｓｏｆｃｉｎｅｍａ．ｃｏｍ／ｉｎｔｅｒｎａｔｉｏｎａｌ−ｎｅｗｓ／ｖｉｄｅｏ−ｐｒｏｔｅｃｔｉｏｎ−ａｌｌｉａｎｃｅ−ｌａｕｎｃｈｅｓ−ａｎｔｉｐｉｒａｃｙ−ｓｅｔｔｌｅｍｅｎｔ−ｐｒｏｇｒａｍ／２８１５１
（非特許文献５７）  "ＢｉｇＣｈａｍｐａｇｎｅ  ｉｓ  Ｗａｔｃｈｉｎｇ  Ｙｏｕ"  ｂｙ  Ｊｅｆｆ  Ｈｏｗｅ  ｏｆ  Ｗｉｒｅｄ  Ｍａｇａｚｉｎｅ，ｈｔｔｐ：／／ｗｅｂ．ａｒｃｈｉｖｅ．ｏｒｇ／ｗｅｂ／２００３１２１１０６０９４６／ｈｔｔｐ：／／ｗｗｗ．ｗｉｒｅｄ．ｃｏｍ／ｗｉｒｅｄ／ａｒｃｈｉｖｅ／１１．１０／ｆｉｌｅｓｈａｒｅ．ｈｔｍｌ？ｐｇ＝  １  &ｔｏｐｉｃ＝&ｔｏｐｉｃ＿ｓｅｔ＝
（非特許文献５８）  ＤｔｅｃＮｅｔ  Ｓｏｆｔｗａｒｅ，ｗｗｗ．ｄｔｅｃｎｅｔ．ｃｏｍ，ｈｔｔｐ：／／ｗｅｂ．ａｒｃｈｉｖｅ．ｏｒｇ／ｗｅｂ／２００８０８２８０８３７０８／ｈｔｔｐ：／／ｗｗｗ．ｄｔｅｃｎｅｔ．ｃｏｍ／
（非特許文献５９）  Ｇｕａｒｄａｌｅｙ  ａｔ  ｈｔｔｐ：／／ｗｅｂ．ａｒｃｈｉｖｅ．ｏｒｇ／ｗｅｂ／２００９０６２３２２２４３１／ｈｔｔｐ：／／ｗｗｗ．ｇｕａｒｄａｌｅｙ．ｃｏｍ／ｉｎｄｅｘ．ｐｈｐ？ｏｐｔｉｏｎ＝ｃｏｍ＿ｃｏｎｔｅｎ
ｔ&ｔａｓｋ＝ｖｉｅｗ&ｉｄ＝２７&ｉｔｅｍｉｄ＝４４
（非特許文献６０）  ＭｅｄｉａＤｅｆｅｎｄｅｒ  ａｔ  ｗｗｗ．ｍｅｄｉａｄｅｆｅｎｄｅｒ．ｃｏｍ，ｈｔｔｐ：／／ｗｅｂ．ａｒｃｈｉｖｅ．ｏｒｇ／ｗｅｂ／２０１００３２３２１５７４６／ｈｔｔｐ：／／ｗｗｗ．ｍｅｄｉａｄｅｆｅｎｄｅｒ．ｃｏｍ／
（非特許文献６１）  ＭＥＤＩＡＳＥＮＴＲＹ  ａｔ  ｈｔｔｐ：／／ｗｅｂ．ａｒｃｈｉｖｅ．ｏｒｇ／ｗｅｂ／２００４０７１７０７４０３７／ｈｔｔｐ：／／ｗｗｗ．ｍｅｄｉａｓｅｎｔｒｙ．ｃｏｍ／
（非特許文献６２）  ＧｅｔＡｍｎｅｓｔｙ  ａｔ  ｗｗｗ．ｇｅｔａｍｎｅｓｔｙ．ｃｏｍ，ｃｏｐｙｒｉｇｈｔ  (c)  ２００８  ＦＦＳ，Ｉｎｃ．，ｈｔｔｐ：／／ｗｅｂ．ａｒｃｈｉｖｅ．ｏｒｇ／ｗｅｂ／２００９０８０５０５３５２０／ｈｔｔｐ：／／ｗｗｗ．ｇｅｔａｍｎｅｓｔｙ．ｃｏｍ／
（非特許文献６３）  Ｐａｙ  Ａｒｔｉｓｔｓ  ａｔ  ｗｗｗ．ｐａｙａｒｔｉｓｔｓ．ｃｏｍ，ｈｔｔｐ：／／ｗｅｂ．ａｒｃｈｉｖｅ．ｏｒｇ／ｗｅｂ／２００９１２１６０４５５３７／ｈｔｔｐ：／／ｐａｙａｒｔｉｓｔｓ．ｃｏｍ／
（非特許文献６４）  "Ｖｉｄｅｏ  Ｐｒｏｔｅｃｔｉｏｎ  Ａｌｌｉａｎｃｅ（ＶＰＡ）ｉｓ  ｔｈｅ  ｆａｓｔ，ｓｅｃｕｒｅ  ．．．"  ａｔ  ｈｔｔｐ：／／ｗｅｂ．ａｒｃｈｉｖｅ．ｏｒｇ／ｗｅｂ／２００９０５１８１４３３４５／ｈｔｔｐ：／／ｗｗｗ  ．ｖｉｄｅｏｐｒｏｔｅｃｔｉｏｎａｌｌｉａｎｃｅ．ｃｏｍ／
（非特許文献６５）  Ｉｎｔｅｒｎａｔｉｏｎａｌ  Ｓｅａｒｃｈ  Ｒｅｐｏｒｔ，ＰＣＴ／ＵＳ２０１２／０５２３２５，ｍａｉｌｅｄ  ２０  Ｆｅｂ．  ２０１３
（非特許文献６６）  Ｐａｒａｌｌｅｌ  Ｐｒｏｃｅｓｓｉｎｇ  Ｗｏｒｋｓ，
ｈｔｔｐ：／／ｗｅｂ．ａｒｃｈｉｖｅ．ｏｒｇ／ｗｅｂ／２００８１０１５１８２１３２／ｈｔｔｐ：／／ｃｏｍｐｕｔｅｒ．ｈｏｗｓｔｕｆｆｗｏｒｋｓ．ｃｏｍ／ｐａｒａｌｌｅｌｐｒｏｃｅｓｓｉｎｇ．ｈｔｍ，Ｗａｙｂａｃｋ  Ｍａｃｈｉｎｅ
（非特許文献６７）  Ｂａｙｅｓｉａｎ  Ｎｅｔｗｏｒｋ  Ｃｌａｓｓｉｆｉｅｒｓ，Ｆｒｉｅｄｍａｎ，Ｎｉｒ，Ｍａｃｈｉｎｅ  Ｌｅａｒｎｉｎｇ  ２９，１３１−１６３（１９９７）
（非特許文献６８）  Ｃｈａｒｔｅｒ  Ｃｏｍｍｕｎｉｃａｔｉｏｎｓ  ＤＭＣＡ  ｆｒｏｍ  Ｄｉｓｎｅｙ  Ｉｎｆｒｉｎｇｅｍｅｎｔ  Ｌｅｔｔｅｒ  ｔｏ  Ｐａｙｉｎｇ  Ｃｕｓｔｏｍｅｒ，Ｊａｎｕａｒｙ  ２０１０  ｎｏｔｉｃｅ  ｐａｐｅｒｓ，ｈｔｔｐ：／／ｗｗｗ．ｓｃｒｉｂｄ．ｃｏｍ／ｄｏｃ／２６１７３５１５／Ｃｈａｒｔｅｒ−Ｃｏｍｍｕｎｉｃａｔｉｏｎｓ−ＤＭＣＡ−Ｎｏｔｉｃｅ−Ｆｒｏｍ−Ｄｉｓｎｅｙ−Ｉｎｆｒｉｎｇｅｍｅｎｔ−Ｌｅｔｔｅｒ−ｔｏ−Ｐａｙｉｎｇ  −Ｃｕｓｔｏｍｅｒ−Ｊａｎｕａｒｙ−２０１０
（非特許文献６９）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ，ＰＣＴ／ＵＳ２０１２／０３１８９４，ｍａｉｌｅｄ  Ｏｃｔ．  ２４，２０１２
（非特許文献７０）      ＰａｙＡｒｔｉｓｔｓ  Ａ  Ｓｏｃｉａｌ  Ｓｏｌｕｔｉｏｎ  ｔｏ  ａ  Ｓｏｃｉａｌ  Ｐｒｏｂｌｅｍ  ．．．"Ｗｅｌｃｏｍｅ  ｔｏ  ＰａｙＡｒｔｉｓｔｓ．  Ｗｅ  ｈｅｌｐ  ｔａｍ  ｓｅｔｔｌｅ  ｃｏｐｙｒｉｇｈｔ  ｄｉｓｐｕｔｅｓ  ｗｉｔｈ  ｃｏｐｙｒｉｇｈｔ  ｏｗｎｅｒｓ"，ｈｔｔｐ：／／ｐａｙａｒｔｉｓｔｓ．ｃｏｍ，ｄｏｗｎｌｏａｄｅｄ  Ａｕｇｕｓｔ  ２７，２０１２，（３  ｐａｇｅｓ）Ｏｒｉｇｉｎａｌ  ｓｉｔｅ  ｃｒｅａｔｉｏｎ  ｄａｔｅ  ｕｎｋｎｏｗｎ．
（非特許文献７１）  Ｊｏｓｅｐｈ  Ｓｔｏｒｃｈ  ＥＴ  ＡＬ  ："Ａ  ＬＥＧＡＬ  ＭＡＴＴＥＲ：  １  １−１５  ＩＮＶ．  ＰＥＥＲ−ＴＯ−  ＰＥＥＲ  ＦＩＬＥ  ＳＨＡＲＩＮＧ．ＴＨＥ  ＤＩＧＩＴＡＬ  Ｇ０６Ｆ２１／００  ＭＩＬＬＥＮＮＩＵＭ  ＣＯＰＹＲＩＧＨＴ  ＡＣＴ．ＡＮＤ  ＴＨＥ  ＨＩＧＨＥＲ  Ｇ０６Ｆｌ７／００  ＥＤＵＣＡＴＩＯＮ  ＯＰＰＯＲＴＵＮＩＴＹ  ＡＣＴ：ＨＯＷ  ＣＯＮＧＲＥＳＳ  Ｈ０４Ｌ２９／０６  ＡＮＤ  ＴＨＥ  ＥＮＴＥＲＴＡＩＮＭＥＮＴ  ＩＮＤＵＳＴＲＹ  ＭＩＳＳＥＤ  ＡＮ  Ｇ０６Ｆ２１ｆｌＯ  ＯＰＰＯＲＴＵＮ  ＩＴＹ  ＴＯ  ＳＴＥＭ  ＣＯＰＹＲ  ＩＧＨＴ  ＩＮＦＲＩＮＧＥＭＥＮＴ  ２"，Ａｌｂａｎｙ  Ｌａｗ  Ｒｅｖｉｅｗ．２  Ｍａｒｃｈ  ２０１１（２０１１−０３−０２）．ＸＰ０５５１４１０３６．Ｒｅｔｒｉｅｖｅｄ  ｆｒｏｍ  ｔｈｅ  Ｉｎｔｅｒｎｅｔ：ＵＲＬ：ｈｔｔｐ：／／ｗｗｗ．ａｌｂａｎｙｌａｗｒｅｖｉｅｗ．ｏｒｇ／Ａｒｔｉｃｌｅｓ／Ｖｏ１７４  １／  ７４  ．１．０００６  ＳＴＯＲＣＨ．ｐｄｆ  ｒｅｔｒｉｅｖｅｄ  ｏｎ  ２０１４−０９−１８］＊ｐａｇｅ  ３５２−ｐａｇｅ  ３５４＊
（非特許文献７２）  Ｄａｎｉｅｌ  Ｃａｓｔｒｏ  ＥＴ  ＡＬ："Ｓｔｅａｌ  Ｔｈｅｓｅ  Ｐｏｌｉｃｉｅｓ：Ｓｔｒａｔｅｇｉｅｓ  ｆｏｒ  Ｒｅｄｕｃｉｎｇ  Ｄｉｇｉｔａｌ  Ｐｉｒａｃｙｃｏｎｔｒｏｌｓ"，１  Ｄｅｃｅｍｂｅｒ  ２００９（２００９−１２−０１），ＸＰ０５５１４０９４５，Ｒｅｔｒｉｅｖｅｄ  ｆｒｏｍ  ｔｈｅ  Ｉｎｔｅｒｎｅｔ：  ＵＲＬ：ｈｔｔｐ：／／ｗｗｗ．ｉｔｉｆ．ｏｒｇ／  ｆｉｌｅｓ  ／２００９−ｄｉｇｉｔａｌ−ｐｉｒａｃｙ．ｐｄｆ［ｒｅｔｒｉｅｖｅｄ  ｏｎ  ２０１４−０９−１７］＊ｐａｇｅｓ  １９−２１＊
（非特許文献７３）  "ＭＥＭＯＲＡＮＤＵＭ  ＯＦ  ＵＮＤＥＲＳＴＡＮＤＩＮＧ"，６  Ｊｕｌｙ  ２０１１（２０１１−０７−０６），ＸＰ０５５１４０９５５，Ｒｅｔｒｉｅｖｅｄ  ｆｒｏｍ  ｔｈｅ  Ｉｎｔｅｒｎｅｔ：  ＵＲＬ：ｈｔｔｐ：／／ｗｗｗ．ｃｏｐｙｒｉｇｈｔｉｎｆｏｒｍａｔｉｏｎ．ｏｒｇ／ｗｐ−ｃｏｎｔｅｎｔ／ｕｐｌｏａｄｓ／２０１３／０２／Ｍｅｍｏｒａｎｄｕｍ−ｏｆ−Ｕｎｄｅｒｓｔａｎｄｉｎｇ．ｐｄｆ  ［ｒｅｔｒｉｅｖｅｄ  ｏｎ  ２０１４−０９−１７］＊ｐａｇｅ  ６−ｐａｇｅ  １４＊